(57)【要約】【課題】低コストで、かつＤＣ−ＤＣコンバータの状態および自己故障診断結果を、確実に上位や他のマイコンに通信することができるスイッチング電源装置を得る。【解決手段】高圧バッテリ２の高電圧を低電圧に降圧して補機バッテリ３に充電するスイッチング電源装置であって、高圧バッテリ２からの直流電圧を交流電圧に変換するスイッチング部１２と、スイッチング部１２を駆動する駆動回路１５と、駆動回路１５の動作を制御するとともに、外部と通信可能な制御器１６と、駆動回路１５および制御器１６に電源電圧を供給する制御電源回路部２０と、を備え、制御電源回路部２０は、高圧バッテリ２からの高電圧を、駆動回路１５の電源電圧である低電圧に変圧して駆動回路１５に供給するとともに、高圧バッテリ２からの高電圧および補機バッテリ３からの低電圧の少なくとも一方を、制御器１６の電源電圧である低電圧に変圧して制御器１６に供給する。【選択図】図１
2015089171.tif 000002
【特許請求の範囲】
【請求項１】
高圧バッテリの高電圧を低電圧に降圧して低圧バッテリに充電するスイッチング電源装置であって、
前記高圧バッテリからの直流電圧を交流電圧に変換するスイッチング部と、
前記スイッチング部を駆動する駆動回路と、
前記駆動回路の動作を制御するとともに、外部と通信可能な制御器と、
前記駆動回路および前記制御器に電源電圧を供給する制御電源回路部と、を備え、
前記制御電源回路部は、前記高圧バッテリからの高電圧を、前記駆動回路の電源電圧である低電圧に変圧して前記駆動回路に供給するとともに、前記高圧バッテリからの高電圧および前記低圧バッテリからの低電圧の少なくとも一方を、前記制御器の電源電圧である低電圧に変圧して前記制御器に供給する
スイッチング電源装置。
【請求項２】
前記制御電源回路部は、
前記駆動回路に供給される電源電圧を、前記制御器の電源電圧である低電圧に変圧して前記制御器に供給する第１低電圧生成回路と、
前記低圧バッテリからの低電圧を、前記制御器の電源電圧である低電圧に変圧して前記制御器に供給する第２低電圧生成回路と、を有する
請求項１に記載のスイッチング電源装置。
【請求項３】
前記制御電源回路部は、前記駆動回路に供給される電源電圧の電圧値を判定する判定回路をさらに有し、
前記判定回路は、
前記駆動回路に供給される電源電圧の電圧値が、あらかじめ定められた設定電圧値以下になった場合には、前記第１低電圧生成回路の動作を停止させるとともに、前記第２低電圧生成回路を動作させ、
前記駆動回路に供給される電源電圧の電圧値が前記設定電圧値よりも大きくなった場合には、前記第２低電圧生成回路の動作を停止させるとともに、前記第１低電圧生成回路を動作させる
請求項２に記載のスイッチング電源装置。
【請求項４】
前記制御電源回路部は、
前記駆動回路に供給される電源電圧および前記低圧バッテリからの低電圧を、前記制御器の電源電圧である低電圧に変圧して前記制御器に供給する第１低電圧生成回路を有する
請求項１に記載のスイッチング電源装置。
【請求項５】
高圧バッテリからの直流電圧を交流電圧に変換するスイッチング部と、前記スイッチング部を駆動する駆動回路と、前記駆動回路の動作を制御するとともに、外部と通信可能な制御器と、を備え、前記高圧バッテリの高電圧を低電圧に降圧して低圧バッテリに充電するスイッチング電源装置で実行される電源供給方法であって、
前記高圧バッテリからの高電圧を、前記駆動回路の電源電圧である低電圧に変圧して前記駆動回路に供給するステップと、
前記高圧バッテリからの高電圧および前記低圧バッテリからの低電圧の少なくとも一方を、前記制御器の電源電圧である低電圧に変圧して前記制御器に供給するステップと、
を有する電源供給方法。
【発明の詳細な説明】
【技術分野】
【０００１】
この発明は、例えば車両に搭載され、高圧バッテリの高電圧を低電圧に降圧して低圧バッテリに充電するスイッチング電源装置および電源供給方法に関する。
【背景技術】
【０００２】
従来、電気自動車やハイブリッドカーに搭載される車載用の絶縁型のスイッチング電源装置として、例えば直流電力の電圧レベルを変換する絶縁型ＤＣ−ＤＣコンバータ装置が知られている。この絶縁型ＤＣ−ＤＣコンバータ装置は、リチウムイオン電池に代表される高圧バッテリから供給される高電圧を、絶縁を保ちながら補機系電装品の電源電圧である低電圧に降圧するものである。
【０００３】
ここで、このような絶縁型ＤＣ−ＤＣコンバータ装置において、ＤＣ−ＤＣコンバータ内部の制御部に電源電圧を供給するために、高圧バッテリの高電圧を低電圧に降圧する絶縁型制御電源回路を用いることや、補機バッテリ（以下、「低圧バッテリ」とも称する）の低電圧を昇降圧する制御電源回路を用いることが知られている。
【０００４】
また、高圧バッテリの高電圧を低電圧に変換するＤＣ−ＤＣコンバータと、高圧バッテリから低電圧を取り出すための分圧回路とを備え、分圧回路から取り出した低電圧をＤＣ−ＤＣコンバータの制御部に供給してＤＣ−ＤＣコンバータを起動可能とし、ＤＣ−ＤＣコンバータの起動完了後に、ＤＣ−ＤＣコンバータの出力とＤＣ−ＤＣコンバータの制御部とが接続される電源制御装置が提案されている（例えば、特許文献１参照）。
【先行技術文献】
【特許文献】
【０００５】
【特許文献１】特許第４６２２６４２号公報
【発明の概要】
【発明が解決しようとする課題】
【０００６】
しかしながら、従来技術には、以下のような課題がある。
すなわち、高圧バッテリの高電圧を低電圧に降圧する絶縁型制御電源回路は、ノイズ（ＥＭＣ：Ｅｌｅｃｔｒｏｍａｇｎｅｔｉｃ  Ｃｏｍｐａｔｉｂｉｌｉｔｙ）に対して有効であるが、補機バッテリの低電圧を昇降圧する制御電源回路に比べて高コストである。一方、制御電源回路は、絶縁型制御電源回路に比べて低コストであるが、ノイズ対策が困難である。
【０００７】
なお、ＤＣ−ＤＣコンバータの制御部が、ＤＣ−ＤＣコンバータの温度や高圧・低圧バッテリラインの電圧値等、ＤＣ−ＤＣコンバータの状態および自己故障診断結果を上位や他のマイコンに通信するためには、ＤＣ−ＤＣコンバータの制御部に絶縁型制御電源回路および制御電源回路の両方を接続する必要があるが、これは非常に高コストであり、ノイズや基板占有の面で不利である。
【０００８】
また、特許文献１の電源制御装置を含めて、ＤＣ−ＤＣコンバータに接続される高圧バッテリラインが、事故や不具合、修理等によって断線したり、コンタクタオフになったりした場合や、補機バッテリラインの断線等が生じた場合に、ＤＣ−ＤＣコンバータの制御部が、ＤＣ−ＤＣコンバータの状態および自己故障診断結果を上位や他のマイコンに通信できなくなるおそれがあるという問題がある。
【０００９】
この発明は、上記のような課題を解決するためになされたものであり、低コストで、かつＤＣ−ＤＣコンバータの状態および自己故障診断結果を、確実に上位や他のマイコンに通信することができるスイッチング電源装置および電源供給方法を得ることを目的とする。
【課題を解決するための手段】
【００１０】
この発明に係るスイッチング電源装置は、高圧バッテリの高電圧を低電圧に降圧して低圧バッテリに充電するスイッチング電源装置であって、高圧バッテリからの直流電圧を交流電圧に変換するスイッチング部と、スイッチング部を駆動する駆動回路と、駆動回路の動作を制御するとともに、外部と通信可能な制御器と、駆動回路および制御器に電源電圧を供給する制御電源回路部と、を備え、制御電源回路部は、高圧バッテリからの高電圧を、駆動回路の電源電圧である低電圧に変圧して駆動回路に供給するとともに、高圧バッテリからの高電圧および低圧バッテリからの低電圧の少なくとも一方を、制御器の電源電圧である低電圧に変圧して制御器に供給するものである。
【００１１】
この発明に係る電源供給方法は、高圧バッテリからの直流電圧を交流電圧に変換するスイッチング部と、スイッチング部を駆動する駆動回路と、駆動回路の動作を制御するとともに、外部と通信可能な制御器と、を備え、高圧バッテリの高電圧を低電圧に降圧して低圧バッテリに充電するスイッチング電源装置で実行される電源供給方法であって、高圧バッテリからの高電圧を、駆動回路の電源電圧である低電圧に変圧して駆動回路に供給するステップと、高圧バッテリからの高電圧および低圧バッテリからの低電圧の少なくとも一方を、制御器の電源電圧である低電圧に変圧して制御器に供給するステップと、を有するものである。
【発明の効果】
【００１２】
この発明に係るスイッチング電源装置によれば、制御電源回路部は、高圧バッテリからの高電圧を、駆動回路の電源電圧である低電圧に変圧して駆動回路に供給するとともに、高圧バッテリからの高電圧および低圧バッテリからの低電圧の少なくとも一方を、制御器の電源電圧である低電圧に変圧して制御器に供給する。
また、この発明に係る電源供給方法によれば、高圧バッテリからの高電圧を、駆動回路の電源電圧である低電圧に変圧して駆動回路に供給するステップと、高圧バッテリからの高電圧および低圧バッテリからの低電圧の少なくとも一方を、制御器の電源電圧である低電圧に変圧して制御器に供給するステップと、を有している。
そのため、低コストで、かつＤＣ−ＤＣコンバータの状態および自己故障診断結果を、確実に上位や他のマイコンに通信することができるスイッチング電源装置および電源供給方法を得ることができる。
【図面の簡単な説明】
【００１３】
【図１】この発明の実施の形態１に係るスイッチング電源装置を、バッテリとともに示す構成図である。
【図２】この発明の実施の形態２に係るスイッチング電源装置を、バッテリとともに示す構成図である。
【図３】この発明の実施の形態３に係るスイッチング電源装置を、バッテリとともに示す構成図である。
【発明を実施するための形態】
【００１４】
以下、この発明に係るスイッチング電源装置および電源供給方法の好適な実施の形態につき図面を用いて説明するが、各図において同一、または相当する部分については、同一符号を付して説明する。
【００１５】
実施の形態１．
図１は、この発明の実施の形態１に係るスイッチング電源装置を、バッテリとともに示す構成図である。図１において、スイッチング電源装置である絶縁型のＤＣ−ＤＣコンバータ１は、高圧バッテリ２と補機バッテリ３との間に接続されている。ＤＣ−ＤＣコンバータ１は、高圧バッテリ２の高電圧を、補機系電装品（図示せず）の電源電圧である低電圧に降圧して補機バッテリ３に充電する。
【００１６】
ＤＣ−ＤＣコンバータ１は、入力フィルタ部１１、例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）により構成されるスイッチング部１２、変圧部１３、整流平滑部１４を備えている。
【００１７】
ここで、ＤＣ−ＤＣコンバータ１は、高圧バッテリ２からの高電圧を、入力フィルタ部１１を介してスイッチング部１２に入力し、スイッチング部１２で交流電圧に変換した後、変圧部１３で変圧し、さらに整流平滑部１４で整流および平滑して、直流の低電圧を出力するように構成されている。
【００１８】
ＤＣ−ＤＣコンバータ１は、スイッチング部１２のスイッチング波形を生成するＤＣ−ＤＣコンバータ駆動回路１５、ＤＣ−ＤＣコンバータ１の動作を制御する制御器１６、並びにＤＣ−ＤＣコンバータ駆動回路１５および制御器１６に必要な電源電圧を供給する制御電源回路部２０をさらに備えている。
【００１９】
制御器１６は、マイコンや制御ＩＣ等で構成され、ＤＣ−ＤＣコンバータ駆動回路１５の動作を制御するとともに、ＤＣ−ＤＣコンバータ１の温度や高圧・低圧バッテリラインの電圧値等、ＤＣ−ＤＣコンバータ１の状態および自己故障診断結果を上位や他のマイコンに通信する。
【００２０】
制御電源回路部２０は、制御電源ドライブ回路２１、制御電源変圧部２２、制御電源整流平滑部２３、第１低電圧生成回路２４、第１ダイオード２５、第２低電圧生成回路２６、第２ダイオード２７、平滑コンデンサ２８を有している。
【００２１】
制御電源回路部２０は、高圧バッテリ２からの高電圧を、制御電源ドライブ回路２１で交流電圧に変換し、制御電源変圧部２２でＤＣ−ＤＣコンバータ駆動回路１５の電源電圧である低電圧に変圧した後、制御電源整流平滑部２３で整流および平滑して、ＤＣ−ＤＣコンバータ駆動回路１５に電源電圧を供給するように構成されている。
【００２２】
第１低電圧生成回路２４は、ＤＣ−ＤＣコンバータ駆動回路１５に供給されている電圧を降圧して制御器１６の電源電圧である低電圧を生成し、生成した低電圧を制御器１６に供給する。第１ダイオード２５は、第１低電圧生成回路２４に電流が逆流するのを防止する。
【００２３】
第２低電圧生成回路２６は、補機バッテリ３からの低電圧を降圧して制御器１６の電源電圧である低電圧を生成し、生成した低電圧を制御器１６に供給する。第２ダイオード２７は、第２低電圧生成回路２６に電流が逆流するのを防止する。また、平滑コンデンサ２８は、第１低電圧生成回路２４および第２低電圧生成回路２６からの低電圧を平滑する。
【００２４】
ここで、第１低電圧生成回路２４で生成される低電圧と、第２低電圧生成回路２６で生成される低電圧とを同電位とするか、または勾配を持たせておくことで、高圧バッテリ２または補機バッテリ３の電圧が低下、またはオープンとなった場合でも、制御器１６の電源電圧は、何れかのバッテリから供給される。
【００２５】
すなわち、高圧バッテリ２のコンタクタやその他ユニット不具合、修理等によって、高電圧値が正常範囲を逸脱した場合や、補機バッテリ３の電圧低下が著しい場合であっても、高圧バッテリ２および補機バッテリ３の少なくとも一方が接続されている限り、制御器１６には電源電圧が供給され、制御器１６は動作する。
【００２６】
これにより、制御器１６は、ＤＣ−ＤＣコンバータ１の温度や高圧・低圧バッテリラインの電圧値等、ＤＣ−ＤＣコンバータ１の状態および自己故障診断結果を上位や他のマイコンに通信することができ、ＤＣ−ＤＣコンバータ１として安全性や信頼性の向上を十分に図ることができる。
【００２７】
また、従来技術のように、高圧バッテリの高電圧を低電圧に降圧する絶縁型制御電源回路、および補機バッテリの低電圧を昇降圧する制御電源回路の両方を用意するよりも、補機バッテリからの制御電源回路を小容量とすることにより、コストを低減するとともに、小型化を図ることができる。
【００２８】
以上のように、実施の形態１によれば、制御電源回路部は、高圧バッテリからの高電圧を、駆動回路の電源電圧である低電圧に変圧して駆動回路に供給するとともに、高圧バッテリからの高電圧および低圧バッテリからの低電圧の少なくとも一方を、制御器の電源電圧である低電圧に変圧して制御器に供給する。
また、制御電源回路部は、駆動回路に供給される電源電圧を、制御器の電源電圧である低電圧に変圧して制御器に供給する第１低電圧生成回路と、低圧バッテリからの低電圧を、制御器の電源電圧である低電圧に変圧して制御器に供給する第２低電圧生成回路と、を有している。
そのため、低コストで、かつＤＣ−ＤＣコンバータの状態および自己故障診断結果を、確実に上位や他のマイコンに通信することができるスイッチング電源装置および電源供給方法を得ることができる。
【００２９】
実施の形態２．
図２は、この発明の実施の形態２に係るスイッチング電源装置を、バッテリとともに示す構成図である。図２において、ＤＣ−ＤＣコンバータ１Ａの制御電源回路部２０Ａは、ＤＣ−ＤＣコンバータ駆動回路１５に供給される電源電圧の電圧値を判定する判定回路２９をさらに有している。なお、その他の構成は、図１に示したものと同様なので、説明を省略する。
【００３０】
判定回路２９は、ＤＣ−ＤＣコンバータ駆動回路１５に供給される電源電圧の電圧値が、あらかじめ定められた設定電圧値よりも大きい場合には、第１低電圧生成回路２４を動作させ、第２低電圧生成回路２６は動作させない。
【００３１】
また、判定回路２９は、ＤＣ−ＤＣコンバータ駆動回路１５に供給される電源電圧の電圧値が、設定電圧値以下になった場合には、第１低電圧生成回路２４の動作を停止させるとともに、第２低電圧生成回路２６を動作させる。これにより、制御器１６への電源電圧の供給を継続することができる。
【００３２】
また、判定回路２９は、ＤＣ−ＤＣコンバータ駆動回路１５に供給される電源電圧の電圧値が、設定電圧値よりも大きくなった場合（すなわち、正常範囲に復帰した場合）には、第２低電圧生成回路２６の動作を停止させるとともに、第１低電圧生成回路２４を動作させる。
【００３３】
これにより、高圧バッテリ２および補機バッテリ３の少なくとも一方が接続されている限り、制御器１６には電源電圧が供給され、制御器１６は、ＤＣ−ＤＣコンバータ１の温度や高圧・低圧バッテリラインの電圧値等、ＤＣ−ＤＣコンバータ１の状態および自己故障診断結果を上位や他のマイコンに通信することができ、ＤＣ−ＤＣコンバータ１として安全性や信頼性の向上を十分に図ることができる。
【００３４】
また、従来技術のように、高圧バッテリの高電圧を低電圧に降圧する絶縁型制御電源回路、および補機バッテリの低電圧を昇降圧する制御電源回路の両方を用意するよりも、補機バッテリからの制御電源回路を小容量とすることにより、コストを低減するとともに、小型化を図ることができる。
【００３５】
以上のように、実施の形態２によれば、制御電源回路部は、駆動回路に供給される電源電圧の電圧値を判定する判定回路をさらに有し、判定回路は、駆動回路に供給される電源電圧の電圧値が、あらかじめ定められた設定電圧値以下になった場合には、第１低電圧生成回路の動作を停止させるとともに、第２低電圧生成回路を動作させ、駆動回路に供給される電源電圧の電圧値が設定電圧値よりも大きくなった場合には、第２低電圧生成回路の動作を停止させるとともに、第１低電圧生成回路を動作させる。
そのため、低コストで、かつＤＣ−ＤＣコンバータの状態および自己故障診断結果を、確実に上位や他のマイコンに通信することができるスイッチング電源装置および電源供給方法を得ることができる。
また、第１低電圧生成回路および第２低電圧生成回路を同時に動作させるのではなく、どちらか一方のみを動作させることにより、消費電力およびノイズを低減することができる。
【００３６】
実施の形態３．
図３は、この発明の実施の形態３に係るスイッチング電源装置を、バッテリとともに示す構成図である。図３において、ＤＣ−ＤＣコンバータ１Ｂの制御電源回路部２０Ｂは、図１に示した第１低電圧生成回路２４および第２低電圧生成回路２６に代えて、第１低電圧生成回路２４Ｂを有している。なお、その他の構成は、図１に示したものと同様なので、説明を省略する。
【００３７】
制御電源回路部２０Ｂにおいて、補機バッテリ３からの低電圧が、ＤＣ−ＤＣコンバータ駆動回路１５に電源電圧が供給されるラインに、第２ダイオード２７を介して供給されている。すなわち、第１低電圧生成回路２４Ｂには、高圧バッテリ２から絶縁生成された低電圧と、補機バッテリ３からの低電圧とがそれぞれ供給される。
【００３８】
ここで、第１低電圧生成回路２４Ｂは、通常は、ＤＣ−ＤＣコンバータ駆動回路１５に供給されている電圧を降圧して制御器１６の電源電圧である低電圧を生成し、制御器１６に供給する。
【００３９】
また、第１低電圧生成回路２４Ｂは、第１低電圧生成回路２４Ｂの出力電圧が低下した場合（例えば、ＤＣ−ＤＣコンバータ駆動回路１５に供給される電源電圧の電圧値が、設定電圧値以下になった場合）には、補機バッテリ３からの低電圧を降圧して制御器１６の電源電圧である低電圧を生成し、制御器１６に供給する。
【００４０】
これにより、高圧バッテリ２および補機バッテリ３の少なくとも一方が接続されている限り、制御器１６には電源電圧が供給され、制御器１６は、ＤＣ−ＤＣコンバータ１の温度や高圧・低圧バッテリラインの電圧値等、ＤＣ−ＤＣコンバータ１の状態および自己故障診断結果を上位や他のマイコンに通信することができ、ＤＣ−ＤＣコンバータ１として安全性や信頼性の向上を十分に図ることができる。
【００４１】
以上のように、実施の形態３によれば、制御電源回路部は、駆動回路に供給される電源電圧および低圧バッテリからの低電圧を、制御器の電源電圧である低電圧に変圧して制御器に供給する第１低電圧生成回路を有する。
そのため、低コストで、かつＤＣ−ＤＣコンバータの状態および自己故障診断結果を、確実に上位や他のマイコンに通信することができるスイッチング電源装置および電源供給方法を得ることができる。
また、第１低電圧生成回路２４Ｂのみで制御器１６に電源電圧を供給することにより、図１、２に示した第２低電圧生成回路２６を不要とすることができ、コストを低減することができる。
【００４２】
なお、上記実施の形態１〜３では、制御電源回路部が、ＤＣ−ＤＣコンバータの内部に設けられる構成を示したが、これに限定されない。制御電源回路部は、ＤＣ−ＤＣコンバータに搭載されず、他のユニットからでも電源電圧を供給することができる。
【００４３】
また、上記実施の形態１〜３では、制御電源回路部が、ＤＣ−ＤＣコンバータに適用される例を示したが、これに限定されない。制御電源回路部は、インバータや昇圧コンバータ等にも適用することができる。
【符号の説明】
【００４４】
１、１Ａ、１Ｂ  コンバータ、２  高圧バッテリ、３  補機バッテリ、１１  入力フィルタ部、１２  スイッチング部、１３  変圧部、１４  整流平滑部、１５  ＤＣ−ＤＣコンバータ駆動回路、１６  制御器、２０、２０Ａ、２０Ｂ  制御電源回路部、２１  制御電源ドライブ回路、２２  制御電源変圧部、２３  制御電源整流平滑部、２４、２４Ｂ  第１低電圧生成回路、２５  第１ダイオード、２６  第２低電圧生成回路、２７  第２ダイオード、２８  平滑コンデンサ、２９  判定回路。
【図１】
2015089171.tif 000003
【図２】
2015089171.tif 000004
【図３】
2015089171.tif 000005
【手続補正書】
【提出日】平成26年12月15日(2014.12.15)
【手続補正１】
【補正対象書類名】明細書
【補正対象項目名】００１０
【補正方法】変更
【補正の内容】
【００１０】
この発明に係るスイッチング電源装置は、高圧バッテリの高電圧を低電圧に降圧して低圧バッテリに充電するスイッチング電源装置であって、高圧バッテリからの直流電圧を交流電圧に変換するスイッチング部と、スイッチング部を駆動する駆動回路と、駆動回路の動作を制御するとともに、外部と通信可能な制御器と、駆動回路および制御器に電源電圧を供給する制御電源回路部と、を備え、制御電源回路部は、駆動回路に供給される電源電圧を、制御器の電源電圧である低電圧に変圧して制御器に供給する第１低電圧生成回路と、低圧バッテリからの低電圧を、制御器の電源電圧である低電圧に変圧して制御器に供給する第２低電圧生成回路と、を有し、高圧バッテリからの高電圧を、駆動回路の電源電圧である低電圧に変圧して駆動回路に供給するとともに、高圧バッテリからの高電圧および低圧バッテリからの低電圧の少なくとも一方を、制御器の電源電圧である低電圧に変圧して制御器に供給するものである。
【手続補正２】
【補正対象書類名】明細書
【補正対象項目名】００１１
【補正方法】変更
【補正の内容】
【００１１】
この発明に係る電源供給方法は、高圧バッテリからの直流電圧を交流電圧に変換するスイッチング部と、スイッチング部を駆動する駆動回路と、駆動回路の動作を制御するとともに、外部と通信可能な制御器と、駆動回路および制御器に電源電圧を供給する制御電源回路部と、を備え、制御電源回路部は、駆動回路に供給される電源電圧を、制御器の電源電圧である低電圧に変圧して制御器に供給する第１低電圧生成回路と、低圧バッテリからの低電圧を、制御器の電源電圧である低電圧に変圧して制御器に供給する第２低電圧生成回路と、を有し、高圧バッテリの高電圧を低電圧に降圧して低圧バッテリに充電するスイッチング電源装置で実行される電源供給方法であって、高圧バッテリからの高電圧を、駆動回路の電源電圧である低電圧に変圧して駆動回路に供給するステップと、高圧バッテリからの高電圧および低圧バッテリからの低電圧の少なくとも一方を、制御器の電源電圧である低電圧に変圧して制御器に供給するステップと、を有するものである。
【手続補正３】
【補正対象書類名】特許請求の範囲
【補正対象項目名】全文
【補正方法】変更
【補正の内容】
【特許請求の範囲】
【請求項１】
高圧バッテリの高電圧を低電圧に降圧して低圧バッテリに充電するスイッチング電源装置であって、
前記高圧バッテリからの直流電圧を交流電圧に変換するスイッチング部と、
前記スイッチング部を駆動する駆動回路と、
前記駆動回路の動作を制御するとともに、外部と通信可能な制御器と、
前記駆動回路および前記制御器に電源電圧を供給する制御電源回路部と、を備え、
前記制御電源回路部は、
前記駆動回路に供給される電源電圧を、前記制御器の電源電圧である低電圧に変圧して前記制御器に供給する第１低電圧生成回路と、
前記低圧バッテリからの低電圧を、前記制御器の電源電圧である低電圧に変圧して前記制御器に供給する第２低電圧生成回路と、を有し、
前記高圧バッテリからの高電圧を、前記駆動回路の電源電圧である低電圧に変圧して前記駆動回路に供給するとともに、前記高圧バッテリからの高電圧および前記低圧バッテリからの低電圧の少なくとも一方を、前記制御器の電源電圧である低電圧に変圧して前記制御器に供給する
スイッチング電源装置。
【請求項２】
前記制御電源回路部は、前記駆動回路に供給される電源電圧の電圧値を判定する判定回路をさらに有し、
前記判定回路は、
前記駆動回路に供給される電源電圧の電圧値が、あらかじめ定められた設定電圧値以下になった場合には、前記第１低電圧生成回路の動作を停止させるとともに、前記第２低電圧生成回路を動作させ、
前記駆動回路に供給される電源電圧の電圧値が前記設定電圧値よりも大きくなった場合には、前記第２低電圧生成回路の動作を停止させるとともに、前記第１低電圧生成回路を動作させる
請求項１に記載のスイッチング電源装置。
【請求項３】
高圧バッテリの高電圧を低電圧に降圧して低圧バッテリに充電するスイッチング電源装置であって、
前記高圧バッテリからの直流電圧を交流電圧に変換するスイッチング部と、
前記スイッチング部を駆動する駆動回路と、
前記駆動回路の動作を制御するとともに、外部と通信可能な制御器と、
前記駆動回路および前記制御器に電源電圧を供給する制御電源回路部と、を備え、
前記制御電源回路部は、
前記駆動回路に供給される電源電圧および前記低圧バッテリからの低電圧を、前記制御器の電源電圧である低電圧に変圧して前記制御器に供給する第１低電圧生成回路を有し、
前記高圧バッテリからの高電圧を、前記駆動回路の電源電圧である低電圧に変圧して前記駆動回路に供給するとともに、前記高圧バッテリからの高電圧および前記低圧バッテリからの低電圧の少なくとも一方を、前記制御器の電源電圧である低電圧に変圧して前記制御器に供給する
スイッチング電源装置。
【請求項４】
高圧バッテリからの直流電圧を交流電圧に変換するスイッチング部と、前記スイッチング部を駆動する駆動回路と、前記駆動回路の動作を制御するとともに、外部と通信可能な制御器と、前記駆動回路および前記制御器に電源電圧を供給する制御電源回路部と、を備え、前記制御電源回路部は、前記駆動回路に供給される電源電圧を、前記制御器の電源電圧である低電圧に変圧して前記制御器に供給する第１低電圧生成回路と、低圧バッテリからの低電圧を、前記制御器の電源電圧である低電圧に変圧して前記制御器に供給する第２低電圧生成回路と、を有し、前記高圧バッテリの高電圧を低電圧に降圧して前記低圧バッテリに充電するスイッチング電源装置で実行される電源供給方法であって、
前記高圧バッテリからの高電圧を、前記駆動回路の電源電圧である低電圧に変圧して前記駆動回路に供給するステップと、
前記高圧バッテリからの高電圧および前記低圧バッテリからの低電圧の少なくとも一方を、前記制御器の電源電圧である低電圧に変圧して前記制御器に供給するステップと、
を有する電源供給方法。
【請求項５】
高圧バッテリからの直流電圧を交流電圧に変換するスイッチング部と、前記スイッチング部を駆動する駆動回路と、前記駆動回路の動作を制御するとともに、外部と通信可能な制御器と、前記駆動回路および前記制御器に電源電圧を供給する制御電源回路部と、を備え、前記制御電源回路部は、前記駆動回路に供給される電源電圧および低圧バッテリからの低電圧を、前記制御器の電源電圧である低電圧に変圧して前記制御器に供給する第１低電圧生成回路を有し、前記高圧バッテリの高電圧を低電圧に降圧して前記低圧バッテリに充電するスイッチング電源装置で実行される電源供給方法であって、
前記高圧バッテリからの高電圧を、前記駆動回路の電源電圧である低電圧に変圧して前記駆動回路に供給するステップと、
前記高圧バッテリからの高電圧および前記低圧バッテリからの低電圧の少なくとも一方を、前記制御器の電源電圧である低電圧に変圧して前記制御器に供給するステップと、
を有する電源供給方法。